(57)【要約】【課題】極めて簡単な構造であるにも拘わらず、表示装置が左右いずれか重い方に傾くのを防止して水平に支持できる表示装置の支持構造を提供する。【解決手段】表示装置１０のキャビネット１の下壁１ａに形成された横長の開口部に、スタンド２の中央の筒状ネック部２ａから上向きに突き出した板体３を挿入し、開口部の左右両側に設けられた傾き防止リブ１ｋ，１ｋを、筒状ネック部２ａの上端開口縁２ｃに当止させた、表示装置の支持構造とする。左右の傾き防止リブ１ｋ，１ｋをスタンドの筒状ネック部２ａの上端開口縁２ｃに当止させると、左右の傾き防止リブ１ｋ，１ｋが同じ高さに規制されるため、キャビネット１が左右いずれかに傾くことがなくなり、表示装置１０を水平に支持できる。【選択図】図１
2012100112.tif 000002
【特許請求の範囲】
【請求項１】
表示装置のキャビネットの下壁に形成された横長の開口部に、スタンド中央の筒状ネック部から上向きに突き出した板体を挿入し、開口部の左右両側に設けられた傾き防止リブを、筒状ネック部の上端開口縁に当止させたことを特徴とする表示装置の支持構造。
【請求項２】
傾き防止リブが、開口部を囲む四周側壁面のうちの左右の側壁面に設けられている請求項１に記載の表示装置の支持構造。
【請求項３】
傾き防止リブが、開口部を囲む四周側壁面のうちの後側壁面の左右両端部に設けられている請求項１に記載の表示装置の支持構造。
【請求項４】
傾き防止リブが、開口部を囲む四周側壁面のうちの前側壁面の左右両端部に設けられている請求項１に記載の表示装置の支持構造。
【発明の詳細な説明】
【技術分野】
【０００１】
本発明は、薄型テレビや薄型ディスプレイなどの表示装置の支持構造に関し、更に詳しくは、表示装置が左右いずれか重い方に傾くのを防止して表示装置を水平に支持できるように改良した表示装置の支持構造に関する。
【背景技術】
【０００２】
薄型テレビや薄型ディスプレイなどの表示装置を支持する構造の一つとして、図９に示すように、表示装置１０のキャビネット１の下壁１ａの中央に開口部を形成し、スタンド２の中央の筒状ネック部２ａから上向きに突き出した板体３を上記開口部に挿入すると共に、キャビネット１の背壁１ｂに形成した複数のボス穴１ｃから螺子（不図示）を板体３のねじ孔にねじ込んで表示装置１０を支持する支持構造が知られている。
【０００３】
一方、薄型表示装置のスタンドと一体に係止したスタンド取付板上辺の切断面の一端に、薄型表示装置内部の駆体と当接する突起部を形成し、スタンド取付板上辺の切断面の他端に、傾き調整螺子の軸部が当接するように配設した、薄型表示装置の表示画面傾き調整装置が知られている（特許文献１）。
【０００４】
また、板状に形成された板金製の支持軸と、表示画面を支持し且つ前記板状の支持軸が挿入される扇形状の第一穴部を有する表示画面側支持部材と、台座側に設けられ且つ前記板状の支持軸が挿入される扇形状の第二穴部を有する台座側支持部材とを備え、前記表示画面側支持部材が、前記支持軸を回動軸として前記扇形状の第一穴部の角度範囲と前記第二穴部の角度範囲との和の角度範囲で回動可能とされた表示画面支持機構も知られている（特許文献２）。
【先行技術文献】
【特許文献】
【０００５】
【特許文献１】特開２００７−３１０２５２号公報
【特許文献２】特開２００７−２４８５４２号公報
【発明の概要】
【発明が解決しようとする課題】
【０００６】
図９に示す表示装置１０の支持構造は、その構造自体が簡単であり、短時間で容易に組立作業を行うことができるという利点を有する反面、次のような問題があった。
即ち、スタンド２を立てた状態で、その上方から表示装置１０のキャビネット１の開口部をスタンド２の板体３に嵌めることによってスタンド２の板体３を開口部に挿入し、キャビネット背壁１ｂのボス穴１ｃから螺子を板体３のねじ孔にねじ込んで表示装置１０を支持させると、スタンド２の板体３をキャビネット１の開口部に挿入した時点で、表示装置１０が左右いずれか重い方（例えばメイン基板４などが内蔵されている方）に傾きやすいため、そのまま螺子で固定すれば表示装置１０が左右いずれかに傾いた状態で支持されるという問題があった。かかる問題は、昨今の表示装置のように大型化すればするほど、わずかの傾斜角でも傾いていることが一目瞭然となるため、到底、無視することはできない。
【０００７】
一方、前記特許文献１の薄型表示装置の傾き調整装置は、傾き調整螺子の調整ホイールを回転させることにより、表示画面の傾きをなくして水平に調整することが可能であるが、この傾き調整装置の構造は簡単でなく、しかも、図９に示す支持構造に組み込めないものであるため、この傾き調整装置を図９に示す従来の支持構造に適用して表示装置１０（１）の傾きを防止することはできない。
【０００８】
また、前記特許文献２の表示画面支持機構は、表示画面の前後の傾斜角度を調整できるが、左右の傾斜角度を調整するものではないため、この表示画面支持機構を採用しても、上記の問題を解決することはできない。
【０００９】
本発明は上記事情の下になされたもので、その解決しようとする課題は、極めて簡単な構造であるにも拘わらず、表示装置が左右いずれか重い方に傾くのを防止して表示装置を水平に支持することができる表示装置の支持構造を提供することにある。
【課題を解決するための手段】
【００１０】
上記課題を解決するため、本発明に係る表示装置の支持構造は、表示装置のキャビネットの下壁に形成された横長の開口部に、スタンド中央の筒状ネック部から上向きに突き出した板体を挿入し、開口部の左右両側に設けられた傾き防止リブを、筒状ネック部の上端開口縁に当止させたことを特徴とするものである。
【００１１】
本発明に係る表示装置の支持構造においては、傾き防止リブが、開口部を囲む四周側壁面のうちの左右の側壁面に設けられていてもよいし、開口部を囲む四周側壁面のうちの後側壁面の左右両端部に設けられていてもよいし、開口部を囲む四周側壁面のうちの前側壁面の左右両端部に設けられていてもよい。
【発明の効果】
【００１２】
本発明に係る表示装置の支持構造のように、キャビネット下壁の開口部の左右両側に設けられた傾き防止リブを、スタンドの筒状ネック部の上端開口縁に当止させると、左右の傾き防止リブが同じ高さに規制されるため、表示装置のキャビネットが左右いずれかに傾くことがなくなり、表示装置を水平に支持することが可能となる。このように、本発明に係る支持構造を採用すると、スタンドの筒状ネック部から上向きに突き出す板体をキャビネット下壁の開口部に挿入する際に、開口部の左右両側に設けられた傾き防止リブを筒状ネック部の上端開口縁に当止させるだけの極く簡単な作業で、表示装置の水平出しを容易かつ確実に行って表示装置を支持できる利点がある。
また、キャビネットの開口部の左右両側に傾き防止リブを設けると、該リブによって開口部の左右両側部分が補強される利点もある。
【００１３】
左右の傾き防止リブを設ける箇所は、キャビネット下壁の開口部の左右両側であって筒状ネック部の上端開口縁に当止される箇所であればよいので、上記のように開口部を囲む四周側壁面の左右の側壁面でも、後側壁面の左右両端部でも、前側壁面の左右両端部でもよい。
【図面の簡単な説明】
【００１４】
【図１】本発明の一実施形態に係る表示装置の支持構造を示す背面図である。
【図２】同支持構造の分解背面図である。
【図３】スタンドの斜視図である。
【図４】キャビネットの開口部を形成した箇所の部分斜視図である。
【図５】傾き防止リブの形成箇所の一例を示すキャビネットの部分底面図である。
【図６】傾き防止リブの形成箇所の他の例を示すキャビネットの部分底面図である。
【図７】傾き防止リブの形成箇所の更に他の例を示すキャビネットの部分底面図である。
【図８】本発明の他の実施形態に係る表示装置の支持構造を示す背面図である。
【図９】従来の表示装置の支持構造を示す背面図である。
【発明を実施するための形態】
【００１５】
以下、図面に基づいて、本発明に係る表示装置の支持構造の具体的な実施形態を説明する。
【００１６】
図１，図２に示す表示装置の支持構造は、表示装置として大画面の薄型液晶テレビ１０を支持する場合を例示したものであって、１は薄型液晶テレビ１０のリアキャビネット、２はスタンドを示している。
【００１７】
スタンド２は、図２，図３に示すように、合成樹脂製の基台部２ｂの中央に筒状ネック部２ａを設け、この筒状ネック部２ａに金属製の板体３の下端部を嵌合固定して、板体３を筒状ネック部２ａの上端開口から上向きに突出させたものである。
【００１８】
このスタンド２の筒状ネック部２ａは、左右に長い略長方形（前後の長辺が外側に少し湾曲し四隅が丸みをもった略長方形）の上端開口を有する左右対称形の角筒状に形成されている。そのため、このスタンド２を水平面に置いた状態では、筒状ネック部２ａの上端開口縁２ｃにおける任意の左右対称箇所の高さが等しくなっている。また、後述するように板体３をキャビネット１の開口部１ｄに挿入した状態では、図５に仮想線で示すように筒状ネック部の上端開口縁２ｃが開口部１ｄの周りを取り囲む位置関係となっている。
【００１９】
スタンド２の筒状ネック部２ａから突き出した板体３には、４つのねじ孔３ａが形成されており、後述するように該板体３をキャビネット１の開口部１ｄからキャビネット内部に挿入した状態で、キャビネット１の４つのボス穴１ｃから螺子６（図１を参照）を板体３の４つのねじ孔３ａにねじ込むと、キャビネット１と板体３が固定されてキャビネット１（薄型液晶テレビ１０）がスタンド２で支持されるようになっている。
【００２０】
図４，図５に示すように、合成樹脂製のリアキャビネット１の下壁１ａの中央には、スタンド２の筒状ネック部２ａの上端開口縁２ｃよりも僅かに大きい長方形の凹部１ｅが形成されており、この凹部１ｅには前記板体３が挿入される横長の長方形の開口部１ｄが形成されている。そして、この凹部１ｅの開口部１ｄの後方（図４，図５では上方）には、後側壁１ｆが形成されている。従って、開口部１ｄは、四周側壁面１ｇ，１ｉ，１ｊ，１ｈ、即ち、凹部１ｅの前側壁面１ｇと左右側壁面１ｉ，１ｊと後側壁面１ｈによって囲まれている。
【００２１】
四周側壁面１ｇ，１ｉ，１ｊ，１ｈのうち左右の側壁面１ｉ，１ｊには、左右一対の縦向きの傾き防止リブ１ｋ，１ｋが形成されている。これらの傾き防止リブ１ｋ，１ｋの長さ（上下寸法）は同一に設定され、後述するようにスタンド２の板体３をキャビネット１の開口部１ｄに挿入すると、左右の傾き防止リブ１ｋ，１ｋの下端が、スタンド２の筒状ネック部２ａの上端開口縁２ｃにおける左右対称箇所（左右両端部）に当止されて同じ高さに規制されるようになっている。
【００２２】
また、図４に示すように、リアキャビネット１の背壁１ｂには、スタンド２の板体３の４つのねじ孔３ａに対応して４つのボス穴１ｃが形成されており、これらのボス穴１ｃから固定用の螺子６が板体３のねじ孔３ａにねじ込まれるようになっている。
【００２３】
更に、キャビネット１に内蔵されている液晶モジュール（不図示）の板金製のリアフレームには、図１，図２に示すように、挿入された板体３の上端に係合するフック片５ａと、板体３の挿入ガイド片５ｂ，５ｂが設けられている。
【００２４】
図１〜図５に示す実施形態の表示装置の支持構造は、薄型液晶テレビ（表示装置）１０のリアキャビネット１の下壁１ａに形成された横長の開口部１ｄに、スタンド２中央の筒状ネック部２ａから上向きに突き出した板体３を、挿入ガイド片５ｂ，５ｂに沿って挿入し、開口部１ｄを囲む四周側壁面のうちの左右側壁面１ｉ，１ｊに設けられた左右一対の傾き防止リブ１ｋ，１ｋを、筒状ネック部２ａの上端開口縁２ｃの左右両端部（左右対称箇所）に当止させると共に、板体３の上端を前記フック片５ａに係合させ、リアキャビネット１の背壁１ｂのボス穴１ｃから螺子６を板体３のねじ孔３ａにねじ込むことによって、薄型液晶テレビ１０をスタンド２で支持させたものである。
【００２５】
上記のように、キャビネット１の開口部１ｄの左右両側に設けられた左右の傾き防止リブ１ｋ，１ｋを、スタンド２の筒状ネック部２ａの上端開口縁２ｃの左右両端部に当止させると、左右の傾き防止リブ１ｋ，１ｋが同じ高さに規制されるため、薄型液晶テレビ（表示装置）１０のキャビネット１が左右いずれかに傾くことがなくなり、薄型液晶テレビ１０を水平に支持することが可能となる。従って、この支持構造を採用すると、板体３をキャビネット下壁の開口部１ｄに挿入する際に、左右の傾き防止リブ１ｋ，１ｋを筒状ネック部２ａの上端開口縁２ｃに当止させるだけの極く簡単な作業で、薄型液晶テレビ１０の水平出しを容易かつ確実に行って支持できる利点がある。また、傾き防止リブ１ｋ，１ｋによって開口部１ｄの左右両側部分が補強される利点もある。
【００２６】
左右の傾き防止リブ１ｋ，１ｋを設ける箇所は、キャビネット下壁１ａの開口部１ｄの左右両側であって筒状ネック部２ａの上端開口縁２ｃの左右対称箇所に当止される箇所であればよいから、図６に示すように、開口部１ｄを囲む四周側壁面１ｇ，１ｈ，１ｉ，１ｊのうち後側壁面１ｈの左右両端部に傾き防止リブ１ｋ，１ｋを設けてもよいし、図７に示すように、開口部１ｄを囲む四周側壁面１ｇ，１ｈ，１ｉ，１ｊのうち前側壁面１ｇの左右両端部に傾き防止リブ１ｋ，１ｋを設けてもよい。
【００２７】
上記のように左右の傾き防止リブ１ｋ，１ｋを後側壁面１ｈの左右両端部又は前側壁面１ｇの左右両端部に設けた場合も、図８に示す支持構造のように、傾き防止リブ１ｋ，１ｋが筒状ネック部２ａの上端開口縁２ｃの前縁又は後縁の両端部に当止されて同じ高さに規制されるため、キャビネット１が左右いずれかに傾くことがなくなり、薄型液晶テレビ１０を水平に支持することが可能となる。
【符号の説明】
【００２８】
１    リアキャビネット
１ａ  リアキャビネットの下壁
１ｄ  開口部
１ｇ  前側壁面
１ｈ  後側壁面
１ｉ，１ｊ  左右側壁面
１ｋ  傾き防止リブ
２    スタンド
２ａ  筒状ネック部
２ｃ  上端開口縁
３    板体
１０  表示装置（薄型液晶テレビ）
【図１】
2012100112.tif 000003
【図２】
2012100112.tif 000004
【図３】
2012100112.tif 000005
【図４】
2012100112.tif 000006
【図５】
2012100112.tif 000007
【図６】
2012100112.tif 000008
【図７】
2012100112.tif 000009
【図８】
2012100112.tif 000010
【図９】
2012100112.tif 000011